(57)【要約】【課題】  従来、風呂から上がると体に付着している水分はタオルで拭き取るが、体拭きで一番面倒なのが、体を前かがみの姿勢にして行う足の指の間の拭き取りである。本発明は、肥満の人を含め、全ての人が楽に短時間で行える足指間乾燥器を提供する。【解決手段】  底板の左右長手方向に側面板を設け、側面板の前方には足置台と後方左右に半円形ネット固定板を設ける。半円形ネット固定板の左右上部に外周リング一体型半円形ネットを固定し、外周リング一体型半円形ネットの下にエアー噴出ノズルを底板から傾斜をつけて固定し、エアー噴出ノズル先端上部に紫外線光源を設ける。エアー噴出ノズルの後方にはエアー供給ホースを取り付け、エアー供給ホースのもう一方はエアー供給器に接続する。外周リング一体型半円形ネットの真上に跳ね防止カバーを側面板に固定した足指間乾燥器。【選択図】図１
2020127696.tif 000002
【特許請求の範囲】
【請求項１】
底板の左右長手方向に側面板を設け、側面板の前方に足置台と後方左右に半円形ネット固定板を設け、半円形ネット固定板の左右上部に外周リング一体型半円形ネットを固定し、外周リング一体型半円形ネットの下にエアー噴出ノズルを底板から傾斜をつけて固定し、エアー噴出ノズルの先端上部に紫外線光源を設け、エアー噴出ノズルの後方にはエアー供給ホースを取り付け、エアー供給ホースのもう一方はエアー供給器に接続し、外周リング一体型半円形ネットの真上に跳ね防止カバーを側面板に固定した足指間乾燥器。
【発明の詳細な説明】
【技術分野】
【０００１】  本発明は、風呂から上がった際の、足の指の間を乾かす乾燥器に関するものである。
【背景技術】
【０００２】  従来、風呂から上がると足の指の間の水分は、タオル等の布を使い足の指の間を手の指で擦るように拭き取っていた。
又、特許文献１においては、体重計に乾燥器が付いているもので足載台に複数の吹出孔があり、足乾燥用の空気流が吹き出すものである。
【先行技術文献】
【特許文献】
【０００３】
【特許文献１】特開  平９−１５０２９号公報
【発明の概要】
【発明が解決しようとする課題】
【０００４】  従来より、風呂から上がると体に付着している水分をタオルで拭き取るのが日常の習慣であるが、体拭きの中で面倒なのが足の指の間を拭くことで、体を前かがみの姿勢にし、一本々指の間にタオルを挟み拭く動作は指の間の数だけ８回も行っています。この動作は健常者でも面倒くさいものですが、特に肥満の方にとっては大変重労働になっています。
特許文献１では、足載台に載せた足の下から吹出孔を通し空気流が上がって足の裏全体は乾燥が期待されるが、一番面倒で乾きずらい足の指の間の乾燥は指の間を広げる開口メカニズムが不十分で、吹出孔と指の間との位置関係が合致しない等、短時間での乾燥は期待できない。
本発明は、以上の問題点を解決するためになされたものである。
【課題を解決するための手段】
【０００５】  底板（７）の左右長手方向に側面板（６）を設け、側面板（６）の前方に足置台（５）と後方左右に半円形ネット固定板（４）を設ける。半円形ネット固定板（４）の左右上部に外周リング一体型半円形ネット（１）をネジ等で固定する。外周リング一体型半円形ネット（１）の下にエアー噴出ノズル（９）を底板（７）から角度４０度の傾斜で底板（７）に固定する。エアー噴出ノズル（９）は、外周リング一体型半円形ネット（１）の下からエアー噴出方向（１０）の方向にネットを通しエアーを噴出する。エアー噴出ノズル（９）の先端上部に紫外線光源（１１）を設ける。エアー噴出ノズル（９）の後方にはエアー供給ホース（２）を取り付け、エアー供給ホース（２）のもう一方はエアー供給器（８）に接続する。外周リング一体型半円形ネット（１）の真上の位置にくるように跳ね防止カバー（３）を側面板（６）にネジ等で固定する。
以上の構成よりなる足指間乾燥器。
【発明の効果】
【０００６】  上述の解決手段により、風呂上がりの面倒な足の指の間の拭き取りがタオルを使わないエアー乾燥となり、前かがみの姿勢から立ったままの楽な姿勢で足指間の乾燥ができる。
又、半円形ネットに足指を乗せることで、指の間がネットの傾斜に沿って開口し、指の間だけをスポット的に狙ったエアーノズルの配置により強力なエアー噴流が効率よく水分・湿気を飛ばし、超短時間で指の間が乾燥する。又、紫外線光源から照射された紫外線は、エアー噴流同様指の間に効率よく当たり殺菌効果を発揮する。又、この乾燥機は、片足用のコンパクトサイズで場所をとらない。
【図面の簡単な説明】
【０００７】
【図１】  本発明の斜視図
【図２】  外周リング一体型半円形ネットを取り外した状態の斜視図
【図３】  図１のＡーＡ断面図
【図４】  本発明の使用状態を示す図１のＡーＡ断面図
【図５】  本発明の使用状態図
【発明を実施するための形態】
【０００８】  以下、本発明の実施の形態を説明する。
（イ）底板（７）の左右長手方向に側面板（６）を設け、側面板（６）の前方に足置台（５）と後方左右に半円形ネット固定板（４）を設ける。
（ロ）半円形ネット固定板（４）の左右上部に外周リング一体型半円形ネット（１）をネジ等で固定する。外周リング一体型半円形ネット（１）の材質は、変形しない硬くて錆びにくく耐久性の高いステンレス等を使用する。
（ハ）外周リング一体型半円形ネット（１）の下にエアー噴出ノズル（９）を底板（７）から前方に向け一例として角度４０度の傾斜を持たせ底板（７）に固定する。エアー噴出ノズル（９）は、外周リング一体型半円形ネット（１）の下からエアー噴出方向（１０）の方向にネットの隙間を通してエアーを噴出する。エアー噴出ノズル（９）の先端上部に紫外線光源（１１）を設ける。
（ニ）エアー噴出ノズル（９）の後方には、エアー供給ホース（２）を取り付けエアー供給ホース（２）のもう一方は、エアー供給器（８）に接続する。エアー供給器（８）は、エアー温度調整機能付きのエアー供給器で、エアー供給ホース（２）を通しエアー噴出ノズル（９）から強力なエアー流を噴出させる。
（ホ）外周リング一体型半円形ネット（１）の真上の位置にくるように跳ね防止カバー（３）を側面板（６）にネジ等で固定する。跳ね防止カバー（３）は透明なビニール素材等を使用し、カバー下の足の位置が上から見えるようにする。
本発明は、以上のような構造である。
【０００９】  本発明を使用するときは、足置台（５）の上に片足を置き指先が外周リング一体型半円形ネット（１）の頂上にくるように乗せる。外周リング一体型半円形ネット（１）に乗せた指先は、図５に示す通り外周リング一体型半円形ネット（１）の傾斜に沿って滑りながら指先が開く仕組みである。左右どちらの足を乗せても、同じ開口効果を発揮する優れた半円形ネットを採用したのが最大の特徴である。
この状態でエアー供給器と紫外線光源のスイッチを入れ、強力なエアー流と紫外線を外周リング一体型半円形ネット（１）の下から噴出及び照射させことで、効率よく足指間の乾燥と殺菌が可能となる。足の指を確実に広げる特徴と、広げた足の指の間をスポット的に狙いを絞って強力エアーの噴出と紫外線照射させる特徴のトリプル効果で、超短時間な乾燥と殺菌を実現させたものです。
又、乾燥器の大きさは、片足用のコンパクトサイズで場所を取らない。
【符号の説明】
【００１０】１  外周リング一体型半円形ネット、２  エアー供給ホース、３  跳ね防止カバー、４  半円形ネット固定板、５  足置台、６  側面板、７  底板、８  エアー供給器、９  エアー噴出ノズル、１０  エアー噴出方向、１１  紫外線光源
ａ  足首、ｂ  第１趾、ｃ  第２趾、ｄ  第３趾、ｅ  第４趾、ｆ  第５趾、ｇ  指先
【図１】
2020127696.tif 000003
【図２】
2020127696.tif 000004
【図３】
2020127696.tif 000005
【図４】
2020127696.tif 000006
【図５】
2020127696.tif 000007